(57)【要約】【課題】建造物の開口部に合わせて適宜にシートを縦方向からでも横方向からでも移動させることができるように設置可能な構造でかつ簡単な構造であり、さらに、シートが移動をしてもシートの平行状態を保持可能な建造物の火災遮蔽薄板シート構造を提供する。【解決手段】開口部１８の周囲に配置した収納室に駆動機構６とこの駆動機構６に従動する巻取ドラム２を収納し、巻取ドラム２に巻装した金属製の薄板シート１を昇降又は左右に移動自在に設け、薄板シート１の両側を案内する案内部材１６を収納室の縦又は横方向に配置し、案内部材１６の内側近傍の収納室内１９に設けた案内輪８を駆動機構６に連動させ、この案内輪８を薄板シート１に穿設した挿通案内孔１２に挿通させて薄板シート１を平行状態にして開口部領域を移動させるようにした火災遮蔽薄板シート構造である。【選択図】          図１
2010068914.tif 000002
【特許請求の範囲】
【請求項１】
建造物の窓等の開口部を遮蔽するための火災遮蔽シート構造であって、前記開口部の周囲に配置した収納室に駆動機構とこの駆動機構に連動して従動する巻取ドラムを収納し、この巻取ドラムに巻装した金属製の薄板シートを昇降又は左右に移動自在に設けるとともに、移動時の薄板シートの長さ方向の両側を案内する案内部材を前記収納室の縦方向又は横方向に配置し、前記案内部材の内側近傍の収納室内に設けた案内輪を前記駆動機構に連動して回動させ、この案内輪を薄板シートの長さ方向の側部に所定の間隔で穿設した挿通案内孔に挿通させながら薄板シートを平行状態に保持して前記開口部領域を移動させるようにしたことを特徴とした建造物の火災遮蔽薄板シート構造。
【請求項２】
前記シートは、１ｍｍ以下の厚みを有するステンレス製のシートである請求項１に記載の建造物の火災遮蔽薄板シート構造。
【請求項３】
前記駆動機構は、駆動ロッドと、この駆動ロッドに固着された歯車と、操作ハンドルに連結した歯車と、からなる請求項１または２に記載の建造物の火災遮蔽薄板シート構造。
【請求項４】
前記巻取ドラムは、同軸で一体となったローラを有する請求項１乃至３の何れか１項に記載の建造物の火災遮蔽薄板シート構造。
【請求項５】
前記駆動機構と前記巻取ドラムとの間に、動力伝達部材を介在させた請求項１乃至４の何れか１項に記載の建造物の火災遮蔽薄板シート構造。
【請求項６】
前記シートの端部に、ストッパを設けた請求項１乃至５の何れか１項に記載の建造物の火災遮蔽薄板シート構造。
【請求項７】
前記ハンドルは、折畳自在のハンドルである請求項１乃至６の何れか１項に記載の建造物の火災遮蔽薄板シート構造。
【発明の詳細な説明】
【技術分野】
【０００１】
本発明は、建造物を火災等から守る防火用遮蔽シートに関し、特に建造物の開口部近傍に設けて、建造物の内部への類焼や、建造物の内部から発生した火災の延焼を防止する建造物の火災遮蔽薄板シート構造に関する。
【背景技術】
【０００２】
従来、建造物の多くは木造であり、火災が発生すると非常に燃えやすく近隣を類焼し被害を拡大させていた。そこで、現在の建造物の多くは、外壁を鋼材や不燃性材料により建設されており、火災が発生した場合でもこの外壁により延焼を防止している。しかし、窓等の開口部はガラスやアルミサッシであり、火災によりこの開口部が破壊され炎が浸入し建物の内部を延焼させることがあった。
そこで、従来から種々の遮蔽シートが提案されている。特許文献１では、巻取ドラムに巻き戻し自在に巻き回された不燃性シート体と、この不燃性シートの両側端部を挿入して案内するガイドレール等を具備するシャッター装置が開示されている。このシャッター装置のガイドレールの上部には、まぐさ体を設けており火災による熱風がガイドレールを伝わって建物内に浸入して延焼することを防止している。
【０００３】
特許文献２では、建物の開口部の上方に耐火スクリーン装置を設置し、このスクリーンの両側端部をガイドレールにより案内する防火スクリーンが開示されている。この防火スクリーンの両側端部には膨張体が設けられており、火災発生時にこの膨張体がガイドレールの中で膨張し、スクリーンを係止するので、前記スクリーンが火災による風圧で揺動し炎や煙が建物内部に入らないようにする防火スクリーンが開示されている。
【０００４】
特許文献３では、建物の開口部を広幅と狭幅の２枚の巻取り可能な防火シートにより遮蔽し、火災現場に残された人が狭幅部分を通り抜けられるようにするとともに、防火シートの端部にマグネットを設けて、このマグネットが床等に設けた短尺座板に吸着することにより火災現場の内部と外部を隙間無く遮蔽することができる防火用遮蔽シートが開示されている。
【０００５】
【特許文献１】特開平１１−１８２１５９号公報
【特許文献２】特許第３７５２１１４号公報
【特許文献３】特許第３７８３０２０号公報
【発明の開示】
【発明が解決しようとする課題】
【０００６】
しかしながら、特許文献１では、上端部が拡開したガイドレールを両側端部に設けており、ガイドレールがかなり大きなものになってしまっている、このためガイドレール内の気密性を保つためにガイドレール内に閉塞体を設けなければならない。また、ガイドレールの上端部が拡開しているために、これを閉塞するためにまぐさ体を設けなければならず、構造が複雑で、部品点数も多く、設置に時間と費用がかかってしまうという問題がある。
【０００７】
特許文献２では、スクリーンの両側端部に膨張体を設けなければならず、その分スクリーンの加工や、ガイドレールを大きなものにしなければならず費用がかかるという問題がある。
【０００８】
特許文献３では、遮蔽シートを複数枚用意しなければならず構造が複雑で、費用や設置に時間がかかってしまう。また、遮蔽シートを昇降させるための動力は外部から供給されなければ昇降することができず、火災発生時に動力源が断たれた場合などには、遮蔽シートを降ろすことができず火災の延焼を防止することができないという問題があった。
【０００９】
本発明は、上記の各種の問題点について解決し、鋭意検討の結果、開発に至ったものであり、その目的とするところは、建造物の開口部に合わせて適宜にシートを縦方向からでも横方向からでも移動させることができるように設置可能な構造でしかも簡単な構造であり、さらに、シートが移動をしてもシートの平行状態を保持可能な建造物の火災遮蔽薄板シート構造を提供することにある。
【課題を解決するための手段】
【００１０】
上記目的を達成するため、請求項１に係る発明は、建造物の窓等の開口部を遮蔽するための火災遮蔽シート構造であって、前記開口部の周囲に配置した収納室に駆動機構とこの駆動機構に連動して従動する巻取ドラムを収納し、この巻取ドラムに巻装した金属製の薄板シートを昇降又は左右に移動自在に設けるとともに、移動時の薄板シートの長さ方向の両側を案内する案内部材を前記収納室の縦方向又は横方向に配置し、前記案内部材の内側近傍の収納室内に設けた案内輪を前記駆動機構に連動して回動させ、この案内輪を薄板シートの長さ方向の側部に所定の間隔で穿設した挿通案内孔に挿通させながら薄板シートを平行状態に保持して前記開口部領域を移動させるようにした建造物の火災遮蔽薄板シート構造である。
【００１１】
請求項２にかかる発明は、シートは、１ｍｍ以下の厚みを有するステンレス製のシートである建造物の火災遮蔽薄板シート構造である。
【００１２】
請求項３にかかる発明は、駆動機構は、駆動ロッドとこの駆動ロッドに固着された歯車と操作ハンドルに連結した歯車と、からなる建造物の火災遮蔽薄板シート構造である。
【００１３】
請求項４にかかる発明は、巻取ドラムは、同軸で一体となったローラを有する建造物の火災遮蔽薄板シート構造である。
【００１４】
請求項５にかかる発明は、駆動機構と前記巻取ドラムとの間に、動力伝達部材を介在させた建造物の火災遮蔽薄板シート構造である。
【００１５】
請求項６にかかる発明は、シートの端部に、ストッパを設けた建造物の火災遮蔽薄板シート構造である。
【００１６】
請求項７にかかる発明は、ハンドルは、折畳自在のハンドルである建造物の火災遮蔽薄板シート構造である。
【発明の効果】
【００１７】
請求項１に係る発明によると、建造物の開口部に合わせて、シートが縦方向又は横方向のいずれかの方向からでも開口部を遮蔽することができるように設置可能な構造であり、
しかも、構造を簡便なものとし部品点数を少なく抑えているので、設置に費用と時間がかからない。さらにシートの平行状態を保持したままシートが移動できるので、シートの傾きによる遮蔽部分の隙間が発生せず、隙間からの炎や煙の浸入を防ぐことができる建造物の火災遮蔽薄板シート構造である。
【００１８】
請求項２に係る発明によると、ステンレス製としたことで防火性が高くなり、また、シートの厚みを１ｍｍ以下の厚さとしたことで扱いやすく、他の金属性シートに比べ軽量化することが可能となり、シートの収納スペースも小さくすることができる建造物の火災遮蔽薄板シート構造である。
【００１９】
請求項３に係る発明によると、歯車を用いることにより小さい力で巻取ドラムを回転させることができるので老人や子供でも開口部を遮蔽することが可能となる建造物の火災遮蔽薄板シート構造である。
【００２０】
請求項４に係る発明によると、巻取ドラム自体の重量を軽減でき軽量化することができるとともに、一体とすることにより部品点数の削減をすることができる建造物の火災遮蔽薄板シート構造である。
【００２１】
請求項５に係る発明によると、動力伝達部材を用いることで低い位置にある駆動機構の駆動力を開口部の上部にある巻取ドラムに伝達することが可能となる建造物の火災遮蔽薄板シート構造である。
【００２２】
請求項６に係る発明によると、シートを降ろしたときに床にストッパが当接し、床にシートが当接したことが確認できるので、隙間無く火災発生部分と屋内を遮蔽することが可能となり、室内への火災の延焼を防止できる。また、巻き取った場合にもドラム収納部に当接するように設けられているのでそれ以上巻き取ることができず、シートが案内部材から外れることを防止できる建造物の火災遮蔽薄板シート構造である。
【００２３】
請求項７に係る発明によると、室内に設置されたハンドルが折畳めるので、室内の邪魔にならず美観を損ねることがない建造物の火災遮蔽薄板シート構造である。
【発明を実施するための最良の形態】
【００２４】
本発明における建造物の火災遮蔽薄板シート構造を図面に従って詳述する。図１〜図６は縦型の建造物の火災遮蔽薄板シート構造を示した図であり、図１は、縦型の建造物の火災遮蔽薄板シート構造の全体を示した切欠説明図である。図２は、図１のＡ−Ａ線一部省略断面図であり、図３は図１のＢ−Ｂ線一部省略断面図であり、図４は、縦型の建造物の火災遮蔽薄板シート構造の全体を示した概略図である。
【００２５】
図１は、縦型の火災遮蔽シート構造を示している。縦型とは、建物の開口部に対して開口部の上方に、火災遮蔽シートの収納部分を有しており、シートが上方から降りてくる構造をいう。以下縦型の建造物の火災遮蔽薄板シート構造について説明する。
本実施例においては、建物の開口部１８の上部と両側部に上部収納室２０及び側部収納室１９、案内部材収納室２１を設けている。この上部収納室２０には、ドラム２が設けられ、ローラ３を同軸で一体をなしてベアリング５、５により回動自在に軸支されている。ベアリング５、５は上部収納室２０の壁面に固着されており、ローラ３を軸支可能としている。ドラム２にはシート１が巻装されており、シート１の両側端部１Ａ、１Ｂは側部収納室１９及び案内部材収納室２１に収納されている案内部材１６Ａ、１６Ｂにそれぞれ挿入されている。
【００２６】
さらに詳しく説明する。図１及び図６に示すように、ドラム２は長尺の略円筒形をなし、ローラ３と同軸で接続部材２５により一体に回動するように設けられている。接続部材２５は、ローラ３とドラム２との間に設けられており、軽量化のために空間２６を形成して設けられている。なお、本実施例において接続部材２５は、垂直に交差する位置に４箇所設けられているがこれに限ったものではない。
【００２７】
ローラ３の両端部は、上部収納室２０に固定されているベアリング５、５により回動自在に軸支されており、さらに、図３に示すようにローラ歯車４がキー３Ａにより固着されている。このローラ歯車４には、後述するロッド７との間に掛設される動力伝達部材１４が掛けられており、ロッド７の駆動力をローラ３に伝達する。なお、本実施例において動力伝達部材１４は、チェーンを用いるがこれに限ったものではなく、例えばベルトでもよい。
【００２８】
シート１は、ステンレス製の薄いシート状をしており、厚さを１ｍｍ以下、好ましくは０．８ｍｍ以下の厚みを有し、使用時以外はドラム２に巻装されている。このシート１はプレス加工により加圧成形し、かつ、開口部に合わせた適宜の広さのシートをシームレス等の溶着手段などの接合手段により所定のシートに成形する。このシート１の両側端部１Ａ、１Ｂは、側部収納室１９と案内部材収納室２１に設けられた後述する案内部材１６Ａ、１６Ｂに挿入されており、さらに一方の側端部近傍には挿通案内孔１２を穿設している。この挿通案内孔１２は、後述する案内輪８の歯８Ａが挿通できるように、案内輪８の歯８Ａに合わせたピッチと開口部を形成している。
図２及び図６に示すように、シート１の下端部にはストッパ１３が接着されており、ストッパ１３は、シート１の幅方向に一定の長さ設けられている。ストッパ１３は同種または異種の金属製をしており、一定の厚みをもって形成されている。また、シート１が巻き取られた場合に、上部収納室２０の下面２０Ａに当接しそれ以上巻き取れられないように一定の幅を設けてある。
【００２９】
前記案内部材１６Ａ、１６Ｂは、開口部１８の両側部すなわち側部収納室１９及び案内部材収納室２１に収納されている。この案内部材１６Ａ、１６Ｂは、全長を開口部１８の縦方向の長さより長くして、上端部を上部収納室２０に延出し、下端部は、開口部１８の下端部である床面に位置している。この案内部材１６は、金属により形成され、図２に示すように断面略Ｕ字形をしており、案内部材の内側の開口幅１７Ａ、１７Ｂにシート１の端部１Ａ、１Ｂを挿入している。この案内部材１６は、シート１を巻上げた状態から巻下げた状態までのシートを常時両側で平行状態を保つように案内している。また、案内部材のＵ字部分の内側の開口幅１７Ａ、１７Ｂは、図２に示されているように、非常に幅が狭く形成されており、端部１Ａ及び端部１Ｂが奥まで挿入され用意に抜け出ないように形成されている。
【００３０】
図５は案内部材１６を収納室に設置した状態を示す一部省略断面図である。案内部材１６Ｂは、案内部材収納室２１の側壁２４Ａに隙間無く設置され、側壁面２４Ｂと略同一平面となるように設けられている。他方、案内部材１６Ａは、側部収納室１９内に設置されており、側壁２３の開口２３Ａは、シート１の厚みよりやや厚い幅で開口している。
【００３１】
前記側部収納室１９には図２に示すように、駆動機構６及びロッド７が収納されており、駆動機構６は歯車６Ａと歯車６Ｂとから構成されている。歯車６Ａは、ロッド７の外周に同軸となって固着されており、歯車６Ｂは、ハンドル９にアーム１１により連結されている。ロッド７は円柱状をしており両端部を側部収納室１９に固定されたベアリング１５、１５により回動自在に軸着されている。このロッド７には、さらに歯車１０と案内輪８がロッド７の外周に同軸で固着されている。図３に示すように、歯車１０は、ロッド７とキー７Ａにより固定されている。歯車１０は、前記ローラ３に固着されているローラ歯車４との間に本実施例ではチェーン１４が掛設されている。
案内輪８は、図３に示すように駆動機構６よりシート１側で、ロッド７の外周にロッド７と同軸で固着されており、外周部に歯８Ａを一定の間隔に形成している。案内輪８の歯８Ａは、シート１に穿設された挿通案内孔１２に連通可能な形状と大きさに形成されている。
【００３２】
前記ハンドル９は、図２に示すように開口部１８の略中間位置の高さに設けられており、折畳機構９Ａにより図７に示すように、ハンドル９の部分を折畳むことができる。
【００３３】
次に、横型の建造物の火災遮蔽薄板シート構造を図面に従って詳述する。なお、上記縦型と同一部分は同一符号を用いてその説明を省略する。図８〜図１０は横型の建造物の火災遮蔽薄板シート構造を示しており。図８は横型の建造物の火災遮蔽薄板シート構造の全体を示した切欠説明図であり、図９は、図８のＣ−Ｃ線断面図であり、図１０は、図８のＤ−Ｄ線断面図である。
【００３４】
図８は、横型の建造物の火災遮蔽薄板シート構造の全体を示した切欠断面図である。ここで、横型とは図８に示すようにシート１が開口部１８に対して側方向から遮蔽する遮蔽シートの構造をいう。図８において、シート１は開口部の近傍に設けられた側部収納室３０に収納されているドラム２から巻き回されて開口部１８を遮蔽していく。
【００３５】
本実施例において、図９に示すように側部収納室３０には、シート１を巻装したドラム２と、ドラム２と一体となっているローラ３、ロッド７、駆動機構６、案内輪８、動力伝達部材１４が収納されている。さらに回転部材２８が、ロッド７とドラム２の間に、ドラム２と一定の角度をもってシート１と接触した状態で設けられている。
【００３６】
案内部材２９Ａと２９Ｂは、図８に示すように上部案内部材収納室３１と下部案内部材収納室３２にそれぞれ収納されており、シート１の側端部１Ａと１Ｂがそれぞれ挿入されている。この案内部材２９Ａは、図示しないが、シート１の端部１Ａを支持している、たとえば、レール内に摺動可能な部材を設け、この部材とシート１の端部１Ａを係止することによって支持可能となる。
【００３７】
次に、本発明の建造物の火災遮蔽薄板シート構造の作用と効果について図面に基いて説明する。はじめに、縦型の建造物の火災遮蔽薄板シート構造の作用と効果について説明する。
本発明の建造物の火災遮蔽薄板シート構造のシート１は、常時は図６に示すように、ドラム２に巻装された状態で上部収納室２０に収納されている。そこで、火災が発生した場合、シート１を降下させるためにまずハンドル９を回すが、図７に示すように、ハンドル９は常時には室内の邪魔や、美観を損ねないために折畳んである。そこで、ハンドル９を持ち上げるが、ハンドル９は図２に示すように、折畳み機構９Ａにより折畳められており、ハンドル９を持ち上げると、この折畳み機構９Ａが解除され水平に固定されてハンドル９を回すことが可能となる。
【００３８】
図２及び図３に示すように、固定されたハンドル９を回すと、ハンドル９のアーム１１を介して先端に固定されている、側部収納室１９に収納された駆動機構６を構成する歯車６Ｂが回動する。歯車６Ｂは、歯車６Ａと噛合しており、歯車６Ｂの回動により歯車６Ａも回動をはじめる。この歯車６Ａは、図２に示すようにロッド７の外周に同軸で、図３に示すように、キー７Ａにより固着されている。ロッド７は、図２に示すようにその両端部をベアリング１５、１５により回動自在に軸支されており、歯車６Ａの回動とともにロッド７も回動をはじめる。これにより、駆動機構を設けたことにより少ない力でもハンドル９を回すことが可能であり、また、ハンドル９は室内の高い位置ではなく子供や年配者等の背の低い人でも容易に回すことができる位置に設置されているので、誰でも火災発生時に素早く回すことが可能となる。
前記ベアリング１５、１５は側部収納室１９の壁面に固着されており、ハンドル９のアーム１１も歯車６Ｂがむやみに動かないように壁面に固定されている。
【００３９】
前記ロッド７は、上記のようにハンドル９を回すことにより駆動機構６を介して回動する。ここで、ロッド７の外周には図２及び図３に示すように、同軸で歯車１０と案内輪８が固着されている。この歯車１０には、図１及び図３に示すように動力伝達部材である例えばチェーン１４が掛設されていて、このチェーン１４のもう一方を、上部収納室２０に収納されたローラ３に固着されているローラ歯車４に掛設している。
前記ローラ３の外周には、図３及び図６に示すように同軸で一体となったドラム２が形成されており、さらに、図３に示すように、ローラ歯車４が同軸でキー３Ａにより一体で回動するように固着されている。これにより、ロッド７の回転駆動力を動力伝達部材であるチェーン１４を介しローラ歯車４に伝え、さらに、ローラ歯車４と一体に回動するローラ３、そしてドラム２へと伝達されていく。
【００４０】
これにより、ハンドル９を回すことにより、駆動機構６を介し、チェーン１４によりドラム２へと駆動力が伝わっていき、ドラム２に巻装されているシート１を降下させることが可能となる。
【００４１】
シート１の両側端部１Ａ、１Ｂは、案内部材１６Ａ、１６Ｂにそれぞれ挿入されている。図１及び図３に示すように、案内部材１６の上端部は開口部１８より上部収納室２０側に突出して設けられており、図６に示すようにシート１がドラム２に巻装されて上部収納室２０に収納されている状態のときでも、シート１の両側端部１Ａ、１Ｂの下端部は案内部材１６Ａ、１６Ｂに挿入された状態で保たれている。これにより、シート１を降下させる場合に、案内部材１６にシート１をガイドする必要がなく、シート１の昇降にともなう巻装されたシート１の直径の変化による、シート１の降下位置の変動にも対応することが可能となる。
【００４２】
シート１は、案内部材１６に沿って降下していく。そこで、図２に示すように前記ロッド７には、案内輪８が固着されており、シート１が降下していくと、シート１に穿設された挿通案内孔１２と案内輪８の先端にある歯８Ａが嵌合することによりシート１を水平に保ちながら降下させていく。シート１の端部には、ストッパ１３が形成されており、シート１が床面２７に到達したことを確認しやすくするとともに、図６に示すように、シート１を巻き上げた場合に、ストッパ１３が、上部収納室２０の下面２０Ａに当接して、それ以上巻き上げることができないようになっており、シート１が案内部材１６から外れることも防止している。このように、シート１の水平を保持しながらシート１を降下させることで、シート１と開口部１８との隙間の発生をなくし、隙間からの炎や煙の浸入を抑え、延焼を防止することができる。
【００４３】
図５は、案内部材１６を収納室に設置してシートを降下させた状態を示す一部省略断面図であるが、本実施例において案内部材１６Ｂは側壁２４Ａに隙間無く挟持された状態で立設しており、火災の炎や煙が案内部材収納室２１に浸入することを防止している。また、シート１の端部１６Ａ側は、開口２３Ａをシート１が昇降可能な幅を限度として開口しており、火災時の炎や煙の浸入を最小限に抑えている。
【００４４】
次に、シート１を巻上げる場合は、上述とは反対にハンドル９を降下方向と逆に回せばシート１は上昇していく。ここで図６に示すように、シート１にはストッパ１３が設けられており、ストッパ１３が上部収納室２０の下面２０Ａに当接した場合には、それ以上巻上がらないように、上部収納室２０の下面２０Ａに設けられたシート１の出入り口は、案内部材１６の開口幅１７と略同等に設けられている、これにより、シート１が巻上がることが無く、さらに、火災の炎や煙の浸入を最小限に抑えることが可能となる。
【００４５】
以上により、火災発生時にシート１をハンドル９を回すことにより、駆動機構６に駆動力を伝えて順次ロッド７、歯車１０、動力伝達部材１４、ローラ歯車４、ローラ３、ドラム２と駆動力が伝わりシート１を昇降させることができ、シート１は案内部材１６により、開口部１８を確実に遮蔽し、建造物の延焼を防止することが可能となる。
なお、本実施例においてはハンドルを用いて手動により、遮蔽シートを昇降させているが、これに限ったものではなく、自動のモータや電気制御の駆動力を用いて遮蔽シートを昇降させてもよい、また、手動と自動、電動の装置を併用してもよい。
【００４６】
次に、横型の建造物の火災遮蔽薄板シート構造の作用と効果について説明する。なお、縦型と同一の作用と効果についてはその説明を省略する。
【００４７】
図８において、ハンドル９を回すと、駆動機構６にハンドル９の駆動力が伝達され、駆動機構６と固着しているロッド７が回動して、ロッド７に掛設されている動力伝達部材である例えばチェーン１４が回転し、このチェーン１４が掛設されているローラ３が回動して、ローラ３と一体に設けられているドラム２が回動して、シート１が開口部１８を遮蔽する。
【００４８】
ここで、図９に示すように、横型の実施例においては、回転部材２８がドラム２とロッド７の間に一定の角度をもって設けられている。これは、シート１が巻き取られる場合に、ドラム２との間に一定の角度をもつことによりシート１が引っ張られ隙間無く巻き取ることにより、シート１平行状態が保たれ、開口部１８を遮蔽した場合に開口部１８とシート１の間に隙間ができることを防止している。
【産業上の利用可能性】
【００４９】
本発明は、建造物の特に開口部を遮蔽するシートの構造ではあるが、たとえば、建造物内の一定の区画を遮蔽する場合に適用することができ、巨大な建造物に火災が発生した場合などには、内部の区画を遮蔽して延焼を最小限に抑えたり、避難通路を確保する場合にも適用可能である。
【図面の簡単な説明】
【００５０】
【図１】縦型の建造物の火災遮蔽薄板シート構造の全体を示した一部切欠説明図である。
【図２】図１のＡ−Ａ線一部省略断面図である。
【図３】図１のＢ−Ｂ線一部省略断面図である。
【図４】縦型の建造物の火災遮蔽薄板シート構造の全体を示した概略図である。
【図５】案内部材を収納室に設置してシートを降下させた状態を示す一部省略断面図である。
【図６】シートをドラムに巻き取った状態を示す断面図である。
【図７】ハンドルを折畳んだ状態を示す一部省略概略側面図である。
【図８】横型の建造物の火災遮蔽薄板シート構造の全体を示した一部切欠説明図である。
【図９】図８のＣ−Ｃ線断面図である。
【図１０】図８のＤ−Ｄ線断面図である。
【符号の説明】
【００５１】
１  シート
１Ａ、Ｂ  端部
２  ドラム
３  ローラ
６  駆動機構
６Ａ、Ｂ  歯車
７  ロッド
８  案内輪
９  ハンドル
１２  挿通案内孔
１３  ストッパ
１４  動力伝達部材
１６  案内部材
１８  開口部
１９  側部収納室
２０  上部収納室
２１  案内部材収納室
２８  回転部材
【図１】
2010068914.tif 000003
【図２】
2010068914.tif 000004
【図３】
2010068914.tif 000005
【図４】
2010068914.tif 000006
【図５】
2010068914.tif 000007
【図６】
2010068914.tif 000008
【図７】
2010068914.tif 000009
【図８】
2010068914.tif 000010
【図９】
2010068914.tif 000011
【図１０】
2010068914.tif 000012